(57)【特許請求の範囲】
【請求項１】
建物の屋根に散水管を用いて散水する屋根上散水配管構造であって、
建物の軒先に設けられた軒樋の底面に形成される一対の隣接する孔に対応して、一対の筒状部を備える連結部材が前記底面の下面に固着され、竪樋を一方の筒状部に下方から挿入し前記散水管を他方の筒状部に上下両方向から挿入して連結されることを特徴とする屋根上散水配管構造。
【請求項２】
請求項１に記載の屋根上散水配管構造であって、前記散水管と竪樋の近傍における前記軒樋の底面は他の底面よりも低い窪み部で形成されることを特徴とする屋根上散水配管構造。
【請求項３】
請求項１又は請求項２に記載の屋根上散水配管構造であって、前記散水管と前記竪樋は建物下部まで平行に敷設されることを特徴とする屋根上散水配管構造。
【請求項４】
請求項３に記載の屋根上散水配管構造であって、前記散水管と前記竪樋は一体的に形成されることを特徴とする屋根上散水配管構造。
【発明の詳細な説明】
【技術分野】
【０００１】
本発明は、建築物の屋根に散水するための屋根上散水配管構造に関し、詳しくは、建物下部から屋根上まで敷設される散水管の外観性が優れて建物の品質性が向上する屋根上散水配管構造に関する。
【背景技術】
【０００２】
従来、建築物の屋根上に積もった雪の除雪作業を頻繁に実施しないと雪の重みによって建築物が損傷するという問題があった。
【０００３】
この問題を解決する方法が特許文献１に開示されている。図７に示すように、特許文献１の屋根上散水配管構造は、貯水槽１に設けた揚水ポンプＰ１によってボイラーＮに送水され加温された温水が送水ポンプＰ２で散水管４によって屋根Ｒ上に送られ、屋根Ｒ上に敷設された散水管２から屋根Ｒ上に散水される。
【０００４】
この散水によって雪が溶けて、融雪水は軒樋６、竪樋７を経て再び貯水槽１に戻るように循環する方式が採用されている。貯水槽１には溢水パイプが設けられ、溢れた水は沈澱桝１２を通過して側溝１３に排出される。
【０００５】
このように、屋根上散水配管構造は、建築物の屋根Ｒ上に積もった雪の除去作業を自動的に実施できるので雪の重みによって建築物が損傷することを防止できる。
【特許文献１】登録実用新案第３１２７６８８号公報
【発明の開示】
【発明が解決しようとする課題】
【０００６】
ところが、この屋根上散水配管構造では、散水管４が軒下から屋根Ｒ上まで軒樋６の外側を横切って敷設されるので、散水管の外観性が損なわれるため建物の品質性が劣るという問題があった。
【０００７】
そこで、本発明はかかる従来技術の問題に鑑みなされたものであって、軒下から屋根上まで敷設される散水管の外観性が優れて建物の品質性が向上する屋根上散水配管構造を提供することを目的とする。
【課題を解決するための手段】
【０００８】
請求項１の発明は、建物の屋根に散水管を用いて散水する屋根上散水配管構造であって、建物の軒先に設けられた軒樋の底面に形成される一対の隣接する孔に対応して、一対の筒状部を備える連結部材が前記底面の下面に固着され、竪樋を一方の筒状部に下方から挿入し前記散水管を他方の筒状部に上下両方向から挿入して連結されることを特徴としている。
【０００９】
請求項２の発明は、請求項１に記載の屋根上散水配管構造であって、前記散水管と竪樋の近傍における前記軒樋の底面は他の底面よりも低い窪み部で形成されることを特徴としている。
【００１０】
請求項３の発明は、請求項１又は請求項２に記載の屋根上散水配管構造であって、前記散水管と前記竪樋は建物下部まで平行に敷設されることを特徴としている。
【００１１】
請求項４の発明は、請求項３に記載の屋根上散水配管構造であって、前記散水管と前記竪樋は一体的に形成されることを特徴としている。
【発明の効果】
【００１２】
請求項１の発明によれば、建物の軒先に設けられた軒樋の底面に形成される一対の隣接する孔に対応して、一対の筒状部を備える連結部材が前記底面の下面に固着され、竪樋を一方の筒状部に下方から挿入し前記散水管を他方の筒状部に上下両方向から挿入して連結されるので、前記散水管は軒下から屋根上まで軒樋の外側を横切らずに敷設されるので、散水管の外観性が損なわれないため建物の品質性が向上する。また、散水管が既設の前記竪樋に沿って設けられるので前記散水管は目立たないので品質性が向上する。
【００１３】
請求項２の発明によれば、前記散水管と竪樋の近傍における前記軒樋の底面は他の底面よりも低い窪み部なので、軒樋内で雨水が流れる際に雨水が窪み部に容易に流れ込むことができる。このため、前記散水管によって軒樋内における雨水の流れが阻害されることなく雨水は竪樋にスムーズに流れる。
【００１４】
請求項３の発明によれば、前記散水管と前記竪樋は建物下部まで平行に敷設されるので、既設の前記竪樋に沿って設けられる前記散水管は目立たないので請求項１の効果と同様の効果が得られる。
【００１５】
請求項４の発明によれば、前記散水管と前記竪樋は一体的に形成されるので、前記散水管が目立つことがないので請求項１の効果と同様の効果が得られる。
【発明を実施するための最良の形態】
【００１６】
＜屋根上散水配管構造の構成＞
以下に、本発明の第一の実施形態を図１〜図５に基づいて説明する。
【００１７】
図１に示すように、本発明の屋根上散水配管構造２１は地上から屋根２４に至る散水管２３が軒樋２７に隣接して設けられる配管構造である。図１に示すように、貯水槽２２に貯められている水が図示しないヒーターで温められて温水となり、温水は図示しない揚水ポンプで散水管２３により屋根２４上まで送られて屋根２４上に敷設された屋根上散水管２５のノズル２５ａから屋根２４上に積もった雪２４ａに散水される。散水された温水と融雪水は軒樋２７、竪樋２８を経て貯水槽２２に戻るとともに、貯水槽２２からオーバーフローする水は排水管２２ａから排出される。
【００１８】
図２、図３、図４（ａ）、（ｂ）に示すように、軒樋２７は断面凹形状で略垂直の前面２７ａと後面２７ｂと略水平の底面２７ｃとから成り、前面２７ａの先端に前耳２７ｄと後面２７ｂの先端に後耳２７ｅを備える。軒樋２７はこの前耳２７ｄと後耳２７ｅを介して建物の軒先の鼻板２６に固着された図示しない軒樋吊金具によって吊下げられる。
【００１９】
底面２７ｃに一対の隣接する孔Ｋ（内径＝Ｔ２）が形成され、この一対の孔Ｋに対応して、一対の筒状部３０ａ、３０ｂを備える連結部材３０が前記底面２７ｃの下面に固着される。連結部材３０の形状は下部が垂直軸から角度α＝略３０度で建物側に折曲がるエルボ形状で、横断面の形状は長さＳ１、幅Ｔ１の長円形で、一対の筒状部３０ａ、３０ｂが中心間距離Ｓ２で上下方向に刳り貫かれ、全高がＨ１である。
【００２０】
一対の筒状部３０ａ、３０ｂは断面が内径＝Ｔ２の円形で、一方が竪樋２８の固着用で他方が散水管２３用の固着用である。筒状部３０ａの下方から竪樋２８（外径＝Ｔ２）が連結され筒状部３０ａの上方から底面Ｑを挟んで排水用の自在ドレン３１がその筒状部３０ａに挿入して固着される。
【００２１】
筒状部３０ｂに下方向から散水管２３（外径＝Ｔ２）と上方向から短い散水管２３ａ（外径＝Ｔ２）を挿入固着して連結される。より詳しくは、短い散水管２３ａは筒状部３０ｂの上方向から底面Ｑを挟んで挿入される円筒スリーブ３２を介して連結される。円筒スリーブ３２の長さ方向の中央部外周にフランジ３２ａが形成されるので円筒スリーブ３２は挿入位置決めが安定してできる。
【００２２】
この円筒スリーブ３２の上方にエルボ材３３（内径＝Ｔ２）が設けられ、エルボ材３３の下端部に短い散水管２３ａ（外径＝Ｔ２）の上端部が嵌合して連結される。エルボ材３３は下端部が垂直下方に開口し上端部は垂直軸から角度βで傾斜して建物から離れる方向に開口する形状である。
【００２３】
一方、屋根２４上に敷設される屋根上散水管２５は矩形筒状（幅＝Ｋ１、高さ＝Ｋ２）で、この屋根上散水管２５が直角エルボ材２５ｂを介して屋根２４から短い散水管２５ｃ（幅＝Ｋ１、高さ＝Ｋ２）で下垂される。短い散水管２５ｃは接続部材３５を介してエルボ材３３の上端部に連結される。
【００２４】
散水管２３と竪樋２８はそれぞれエルボ材４０を介して建物に沿って建物下部まで平行に敷設される。なお、軒樋２７の散水管２３と竪樋２８の近傍における底面Ｑは他の底面２７ｃよりも深さHだけ低い窪み部Ｑ１として形成される。
【００２５】
図５に示すように、接続部材３５は下部３５ａが短い散水管２３ａを挿入する円筒状（内径＝Ｔ２）で、上部３５ｂが矩形筒状の短い散水管２５ｃを挿入するように長幅＝Ｋ１、短幅＝Ｋ２の開口寸法で連続形成される形状である。
【００２６】
屋根上散水配管構造２１の各部材の材質は、ステンレスや亜鉛メッキをした金属、あるいは軽量化や耐腐食性を考慮して例えば硬質塩化ビニール樹脂等の合成樹脂材料で形成される。各部材間の接続は溶接又は接着剤を用いて水密的に固着される。
【００２７】
＜屋根上散水配管構造の作用＞
散水管２３、２３ａが軒樋２７の底面２７ｃを貫通して設けられるので、散水管２３、２３ａは軒樋２７の外側に露出しないので外観性が損なわれないため建物の品質性が向上する。さらに、散水管２３が既設の竪樋２８に沿って隣接して平行に敷設されるので、さらに目立たないので建物の品質性が向上する。
【００２８】
「本発明の第二の実施形態」
本発明の第二の実施形態の屋根上散水配管構造４１を図６に基づいて説明する。なお、第二の実施形態の屋根上散水配管構造４１は図３に示す屋根上散水配管構造２１の連結部材３０の構成を除いて全て第一の実施形態と同一の構成であるため、図６に示す連結部材４２以外の構成はその説明および図面を省略する。
【００２９】
屋根上散水配管構造４１の連結部材４２は高さＨ２のエルボ形状で上方から下方に亘って横断面形状が長さＳ１、幅Ｔ１の長円形から長さＳ３、幅Ｔ１の長円形に絞られる。下方においては一対の直径Ｔ２の円筒が厚さＴ３＝略１０ｍｍで近接して形成される。なお、連結部材４２の下部は一対の筒状部３０ａ、３０ｂが垂直軸に対して角度α＝略３０度で傾斜するように横断面の形状が長さＳ１から長さＳ３まで三次元的に絞られるので、加工容易とするため連結部材４２の高さＨ２は第一の実施形態の高さＨ１よりも高く形成される。
【００３０】
このように、散水管２３が既設の竪樋２８に近接して形成されるので散水管２３がさらに目立たないため散水管２３の外観性が損なわれないため建物の品質性が確実に向上する。
【００３１】
以上、本発明の実施例を図面に基づいて説明したが、具体的な構成はこの実施例に限られるものではなく本発明の要旨を逸脱しない範囲の設計変更等があっても本発明に含まれる。
【００３２】
例えば、連結部材３０、４２の一対の筒状部３０ａ、３０ｂは竪樋２８と散水管２３用の断面形状に対応して、例えば矩形断面や異径の断面形状に形成される。軒樋２７の底面２７ｃに窪み部Ｑ１を設けないで直接底面２７ｃに連結部材３０、４２を介して散水管２３と竪樋２８を連結してもよい。また、本実施例の屋根上に水を散水する構成は真夏における建物の冷却用としても使用できるが、その際には貯水槽２２に貯められている水用のヒーターは不要である。
【図面の簡単な説明】
【００３３】
【図１】本発明の第一の実施形態における、屋根上散水配管構造２１を用いて建物の屋根２４上に送られる散水管２３の配置状態の斜視図である。
【図２】本発明の第一の実施形態における、図１のＡ−詳細側面図である。
【図３】本発明の第一の実施形態における、図２のＢ−Ｂ矢視図である。
【図４】本発明の第一の実施形態における、（ａ）は連結部材３０に固着される自在ドレン３１と散水管２３接続用の円筒スリーブ３２の状態を示す側面図、（ｂ）は連結部材３０の側面図、（ｃ）は連結部材３０の平面図である。
【図５】本発明の第一の実施形態における、エルボ材３３と短い散水管２５ｃを連結するための接続部材３５の斜視図である。
【図６】本発明の第二の実施形態における、（ａ）は図２のＢ−Ｂ矢視図、（ｂ）は図６（ａ）のＣ−Ｃ断面図である。
【図７】従来の屋根上散水配管構造で、貯水槽１に設けた揚水ポンプＰ１によってボイラーＮに送水されて加温された温水が、送水ポンプＰ２により散水管４によって屋根Ｒ上に送られ散水管２から散水される状態を示す斜視図である。
【符号の説明】
【００３４】
２３  散水管
２７  軒樋  
２７ｃ  底面
２８  竪樋
３０  連結部材
３０ａ  筒状部
３０ｂ  筒状部
Ｑ１  窪み部
【図１】
0004775389.tif 000002
【図２】
0004775389.tif 000003
【図３】
0004775389.tif 000004
【図４】
0004775389.tif 000005
【図５】
0004775389.tif 000006
【図６】
0004775389.tif 000007
【図７】
0004775389.tif 000008